(57)【要約】【課題】放射性物質を除去しつつ水を通過させることを可能としながらも、破れや裂けが発生する虞れの少ない放射能汚染土壌用袋を提供する。【解決手段】矩形状の底壁部13と４つの側壁部12とを有する直方箱型の放射能汚染土壌用袋であって、放射性物質を除去しつつ水を通過可能な複数枚の矩形状の側壁用シート体２と、放射性物質を除去しつつ水を通過可能な１枚の矩形状の底壁用シート体３と、を備え、側壁用シート体２の縦辺部を、順次、縦縫着継目部81をもって連設し、かつ、上記縦縫着継目部81を各上記側壁部12の横幅方向中間域に配設して、側壁部12，12同士が接する縦稜線部11に縦縫着継目部81が配設されるのを避けた。【選択図】図１
2016223930.tif 000002
【特許請求の範囲】
【請求項１】
矩形状の底壁部（13）と４つの側壁部（12）とを有する直方箱型の放射能汚染土壌用袋に於て、
放射性物質を除去しつつ水を通過可能な複数枚の矩形状の側壁用シート体（２）と、放射性物質を除去しつつ水を通過可能な１枚の矩形状の底壁用シート体（３）と、を備え、
上記側壁用シート体（２）の縦辺部（21）を、順次、縦縫着継目部（81）をもって連設し、かつ、上記縦縫着継目部（81）を各上記側壁部（12）の横幅方向中間域（Ｍ）に配設して、上記側壁部（12）（12）同士が接する縦稜線部（11）に上記縦縫着継目部（81）が配設されるのを避けたことを特徴とする放射能汚染土壌用袋。
【請求項２】
上記縦縫着継目部（81）は、シートベルトウエビングから成る帯状の芯材（70）を内部に有し、隣り合う一方の上記側壁用シート体（２）の上記縦辺部（21）を折り返した第１折り返し帯部（71Ａ）を形成して上記芯材（70）を挟み、さらに、隣り合う他方の上記側壁用シート体（２）の上記縦辺部（21）を折り返した第２折り返し帯部（71Ｂ）を形成して上記芯材（70）を挟み、上記芯材（70）の表裏各面（70ａ）（70ｂ）に上記第１折り返し帯部（71Ａ）と上記第２折り返し帯部（71Ｂ）を当接させた請求項１記載の放射能汚染土壌用袋。
【請求項３】
吊り下げ用の吊り帯部（50）を有する帯体（５）を備え、該帯体（５）は、上縫着部（52）をもって上記側壁部（12）の上部に縫着され、かつ、底縫着部（53）をもって上記底壁部（13）の下面（13ｄ）に縫着され、上記上縫着部（52）と上記底縫着部（53）の間を非縫着状として、かつ、余長をもって、底縁縫着部（10）を周り込み、土壌投入に伴って上記側壁部（12）が側外方に膨張した際に上記縦縫着継目部（81）に沿って接触して該縦縫着継目部（81）を支持する補強支持帯部（54）を一体状に有する請求項１又は２記載の放射能汚染土壌用袋。
【請求項４】
上記帯体（５）は、相互に向かい合う上記側壁部（12）（12）の一方から上記底壁部（13）の下面（13ｄ）側を通って上記側壁部（12）（12）の他方に渡って設けている請求項３記載の放射能汚染土壌用袋。
【発明の詳細な説明】
【技術分野】
【０００１】
本発明は、放射能汚染土壌用袋に関する。
【背景技術】
【０００２】
従来は、ポリプロピレンやポリエチレン等の合成樹脂繊維で織ったシートで作成したフレキシブルコンテナバッグに、放射能汚染された汚染土壌を収容して搬送・貯蔵していた（例えば、特許文献１参照）。しかし、汚染土壌が雨等で濡れると、水と共に放射性物質がフレキシブルコンテナバッグから漏れ出す為、放射性物質を除去しつつ水を通過させることが可能なシート体（例えば、特許文献２参照）で作成した放射能汚染土壌用袋があった。
【先行技術文献】
【特許文献】
【０００３】
【特許文献１】特許第５４９８５２８号公報
【特許文献２】特開２０１３−２５３９４９号公報
【発明の概要】
【発明が解決しようとする課題】
【０００４】
しかし、放射性物質を除去しつつ水を通過させることが可能なシート体は、透水性を得るために、不織布のような内部空間が閉塞しない基材を用いているため、引っ張り力に対しての強度が弱く、破れや裂けが発生するといった問題があった。
【０００５】
そこで、本発明は、放射性物質を除去しつつ水を通過させることを可能としながらも、破れや裂けが発生する虞れの少ない放射能汚染土壌用袋の提供を目的とする。
【課題を解決するための手段】
【０００６】
上記目的を達成するために、本発明の放射能汚染土壌用袋は、矩形状の底壁部と４つの側壁部とを有する直方箱型の放射能汚染土壌用袋に於て、放射性物質を除去しつつ水を通過可能な複数枚の矩形状の側壁用シート体と、放射性物質を除去しつつ水を通過可能な１枚の矩形状の底壁用シート体と、を備え、上記側壁用シート体の縦辺部を、順次、縦縫着継目部をもって連設し、かつ、上記縦縫着継目部を各上記側壁部の横幅方向中間域に配設して、上記側壁部同士が接する縦稜線部に上記縦縫着継目部が配設されるのを避けたものである。
また、上記縦縫着継目部は、シートベルトウエビングから成る帯状の芯材を内部に有し、隣り合う一方の上記側壁用シート体の上記縦辺部を折り返した第１折り返し帯部を形成して上記芯材を挟み、さらに、隣り合う他方の上記側壁用シート体の上記縦辺部を折り返した第２折り返し帯部を形成して上記芯材を挟み、上記芯材の表裏各面に上記第１折り返し帯部と上記第２折り返し帯部を当接させたものである。
【０００７】
また、吊り下げ用の吊り帯部を有する帯体を備え、該帯体は、上縫着部をもって上記側壁部の上部に縫着され、かつ、底縫着部をもって上記底壁部の下面に縫着され、上記上縫着部と上記底縫着部の間を非縫着状として、かつ、余長をもって、底縁縫着部を周り込み、土壌投入に伴って上記側壁部が側外方に膨張した際に上記縦縫着継目部に沿って接触して該縦縫着継目部を支持する補強支持帯部を一体状に有するものである。
また、上記帯体は、相互に向かい合う上記側壁部の一方から上記底壁部の下面側を通って上記側壁部の他方に渡って設けているものである。
【発明の効果】
【０００８】
本発明によれば、放射性物質が水と共に袋外部に流出することを防止しつつ水のみを排出可能であり、十分な強度を得ることができる。特に、放射性物質を内部に残しつつ、水のみを排出する側壁用・底壁用シート体自体は、人工皮革や不織布等から成り、引っ張り強度に対して強度が低いにかかわらず、本発明によれば、破れや裂け等の破損を、巧妙に防止して、袋全体としての十分な強度を発揮する。例えば、放射能汚染土壌を収容して吊り上げと吊り下ろしを繰り返しても破れや裂け等の破損が無く、安全に搬送できる。また、３段に積み重ねても、最下位置の放射能汚染土壌用袋に破れや裂け等の破損が発生せず、安全に貯蔵することができる。また、落下させても安全性を損なうような収容物の漏洩が無い優れた落下衝撃性を発揮できる。
【図面の簡単な説明】
【０００９】
【図１】本発明の実施の一形態を示す斜視図である。
【図２】要部簡略横断面図である。
【図３】要部拡大横断面図である。
【図４】要部縦断面図である。
【図５】底面図である。
【図６】吊り帯部を説明するための斜視図である。
【図７】使用状態説明図である。
【図８】作用説明図である。
【図９】比較例の問題点を説明するための作用説明図である。
【発明を実施するための形態】
【００１０】
以下、図示の実施形態に基づき本発明を詳説する。
本発明の放射能汚染土壌用袋は、図１に示すように、放射性物質により汚染した土壌を収容するための収容部19を形成する矩形状の底壁部13及び４つの矩形状の側壁部12を有する直方箱型に形成している。
各側壁部12にクレーンのフック部やフォークリフト等に掛けられる吊り帯部50を設けている。また、４つの側壁部12の上辺部12ａに全周に渡って縫着され収容部19を閉塞するための蓋布９を備えている。
【００１１】
図２に示すように、４つの側壁部12は、主として複数枚の矩形状の側壁用シート体２で形成され、底壁部13は、主として１枚の矩形状（正方形状）の底壁用シート体３で形成している。
【００１２】
側壁用シート体２は、８枚であって、同一寸法（同形状）かつ同一材質であり、放射性物質を除去しつつ（ろ物として残しつつ）水を通過可能なものである。
底壁用シート体３は、正方形状であって、側壁用シート体２と同一材質であり、放射性物質を除去しつつ水を通過可能なものである。
【００１３】
８枚の側壁用シート体２の縦辺部21を、順次、縦縫着継目部81をもって、連設すると共に、側壁用シート体２の下辺部と底壁用シート体３の側辺部とを縫着して、８枚の側壁用シート体２を横断面（平面視）正方形状の角筒型に形成している。
【００１４】
そして、側壁用シート体２と底壁用シート体３を縫着する際に、形成すべき各側壁部12の横幅方向中間域Ｍに、２つの縦縫着継目部81，81が対応するように配設し、縦縫着継目部81が側壁部12，12同士が接する縦稜線部11に配設されるのを避けている。
【００１５】
さらに、図２の実施の形態に於ては、各側壁部12の横幅寸法をＷとすると、側壁部12の横幅方向中心線Ｓ12から、縦縫着継目部81の横幅方向中心線Ｓ81までの長さを、略Ｗ／４に設定している。略Ｗ／４に設定とは、側壁部12の横幅寸法（Ｗ）を１００％とすると、２２％〜２８％に設定している。
即ち、４つの側壁部12で形成する外周壁の外周長（４×Ｗ）に対して、縦縫着継目部81を、外周壁に沿って、所定周長毎（略Ｗ／２の所定間隔毎）に配設している（外周壁周りに略均等に配設している）。
【００１６】
８枚の側壁用シート体２は、言い換えると、側壁部12の横幅方向中央部を形成するための中央用の４枚の側壁用シート体２Ｄと、縦稜線部11と側壁部12の側端部を形成するための角用の４枚の側壁用シート体２Ｅと、有し、中央用の側壁用シート体２Ｄと角用の側壁用シート体２Ｅと交互に連設している。
なお、図２と図３及び図４に於て、中央用の側壁用シート体２Ｄと角用の側壁用シート体２Ｅとは同一寸法（同一形状）かつ同一材質であるが、異なるハッチングで図示している。
なお、前記中間域Ｍとしては、前記横幅寸法（Ｗ）の８０％以下であれば良い。
【００１７】
図３及び図４に示すように、縦縫着継目部81は、シートベルトウエビングからなる帯状の芯材70を内部に有している。
一方の側壁用シート体２（２Ａ）の縦辺部21（21Ａ）を側壁厚み方向Ｔに折り返した第１折り返し帯部71Ａを形成して芯材70を挟んでいる。
一方の側壁用シート体２（２Ａ）と隣り合う他方の側壁用シート体２（２Ｂ）の縦辺部21（21Ｂ）を、一方の側壁用シート体２と異なる側壁厚み方向Ｔに折り返した第２折り返し帯部71Ｂを形成して芯材70を挟んでいる。
【００１８】
さらに、第１折り返し帯部71Ａを形成して第２折り返し帯部71Ｂを挟むと共に、芯材70の裏面70ｂに第１折り返し帯部71Ａを当接させている。そして、第２折り返し帯部71Ｂを形成して第１折り返し帯部71Ａを挟むと共に芯材70の表面（表て面）70ａに第２折り返し帯部71Ｂを当接させている。
【００１９】
言い換えると、一方の側壁用シート体２Ａと他方の側壁用シート体２Ｂとが、横断面視で相互にフック状に横幅方向に引っ掛り合う（相互に係合する）と共に側壁厚み方向Ｔに挟み合っている。
縦縫着継目部81において、一方の側壁用シート体２Ａ及び他方の側壁用シート体２Ｂが、夫々、二重になり、側壁厚み方向Ｔに、一方の側壁用シート２Ａと他方の側壁用シート２Ｂとが交互に配設される。
【００２０】
そして、縦縫着継目部81は、袋外部側に、芯材70と同等の幅寸法をもった帯状の補強当て生地73を配設し、袋内部側に、その補強当て生地73よりも幅広の帯状の側壁用裏当て生地74を配設して、補強当て生地73と、一方の側壁用シート２Ａと、芯材70と、他方の側壁用シート２Ｂと、側壁用裏当て生地74とを縫着して形成している。
なお、図２に於て、補強当て生地73、側壁用裏当て生地74、は図示省略している。
【００２１】
次に、図１に示すように、側壁部12に縫着される複数の帯体５，５を備えている。
図３及び図４に於て、帯体５は、側壁部12の上部に縫着される上縫着部52を有している。
上縫着部52は、側壁用裏当て生地74と同等の横幅寸法をもった側壁縫着用押さえ生地75に、袋外部側から押さえられ、その側壁縫着用押さえ生地75と共に縦縫着継目部81の上部に縫着されている。
【００２２】
図４及び図５に示すように、帯体５は、底壁部13の下面13ｄに縫着される底縫着部53を有している。
帯体５の底縫着部53は、その底縫着部53を袋外部側から押さえる底壁縫着用押さえ生地76と、袋内部側に配設され底壁縫着用押さえ生地76と同等の横幅寸法をもった底壁用裏当て生地77と、共に、底壁用シート３に縫着されている。
【００２３】
さらに、帯体５は、上縫着部52と底縫着部53の間で縦縫着継目部81に対面状に余長をもって（余裕代をもって）配設される。そして、側壁用シート体２の下辺部と底壁用シート体３の側辺部とを縫着した底縁縫着部10を余長をもって周り込む。このように、底縁縫着部10に対して間隙Ｇが形成され、周り込む帯体５は、底縁縫着部10及びその近傍に対して非縫着状である。
そして、土壌未投入状態で非縫着状周り込み部は、土壌投入に伴って側壁部12が袋外方側へ膨張した際に、縦縫着継目部81を袋外方側から覆うように沿って接触して、縦縫着継目部81を支持すると共に底縁縫着部10を支持する補強支持帯部54としている。
【００２４】
また、図１及び図５に示すように、帯体５は、各側壁部12に２本平行状に縫着され、相互に向かい合う側壁部12，12の一方から、底壁部13の下面13ｄ側を通って、相互に向かい合う側壁部12，12の他方に渡って設けている。底壁部13の下面13ｄに、帯体５が格子状に配設され、底壁用シート体３を下方から支持している。
【００２５】
図１及び図６に示すように、帯体５は、クレーン等のフック部やフォークリフト等に吊り上げられた使用状態で倒立Ｕ字状となる吊り帯部50を有している。
吊り帯部50は、一方の帯状端部と、他方の帯状端部とを、積層状に重ね合わせて、連結用生地59，59を縫製にて巻着させて連結した連結部を有している。
【００２６】
また、吊り帯部50及び補強支持帯部54を形成する帯体５は、８つ全ての縦縫着継目部81の各々に対応させているので、帯体５を、十分な強度をもった縦縫着継目部81（補強当て生地73）に縫着できる。また、材料の無駄がなく、４つの側壁部12を、均等に支持でき、負荷が集中するのを防止できる。
【００２７】
２本の帯体５，５は、言い換えると、吊り用ベルトであって、吊り上げられた使用状態で倒立Ｕ字状となる吊り帯部50と、側壁部12の上部に縫着される上縫着部52，52と、側壁部12の上部近傍（上下中間部）から底縁縫着部10を周り込むように余長をもって配設される非縫着状周り込み部から成る補強支持帯部54、54と、底壁部13の下面13ｄに縫着される底縫着部53，53と、を有し、土壌投入に伴って袋外方側へ弯曲凸状に変形した際に、側壁部12と、底縁縫着部10近傍の底壁部13と、を袋外方側から支持する。特に、縦縫着継目部81の破損を、この縦縫着継目部81に沿って配設した帯体５が外面から当接支持して、十分に補強しつつ、防止する役目をなす。
【００２８】
また、図１に示すように、蓋布９は、蓋布９の外面側に縫着された細帯体91と、細帯体91が挿通可能なベルト通し部92と、が付設され、細帯体91で蓋布９の外周を絞るようにして縛ることで、収容部19を（きんちゃく状に）閉塞する。
【００２９】
ここで、側壁用シート体２及び底壁用シート体３は、厚さが約１ｍｍであり、例えば、樹脂繊維から成る不織布に樹脂を含浸させて形成した人工皮革に、プルシアンブルー（紺青の顔料）を塗布した又は含浸させたものである。或いは、プルシアンブルー（プルシャンブルー）を塗布又は含浸させた布であっても良い。また、不織布や織布や編布を形成する樹脂繊維にバインダー樹脂を用いてプルシアンブルーを付着させたものであっても良い。なお、放射性物質を残渣（ろ物）として、袋内部及びシート体内部にとどめて、水をろ液として袋外部へ排出可能（放射性物質と水を分離可能なろ過性能を有するもの）であれば、人工皮革や布であっても良い。除去される（残渣となる）放射性物質は、例えば、セシウムである。
【００３０】
芯材70（シートベルトウエビング）は、ポリエステルやポリアミド等の合成樹脂繊維から成る織物で、引っ張り強さ、伸び率、エネルギー吸収率がＪＩＳ  Ｄ  ４６０４の規格に適合するものであり、例えば、伸び率が１０％以下で、引っ張り強さが３０ｋＮ以上である（試験方法はＪＩＳ  Ｄ  ４６０４に準拠）。
【００３１】
また、帯体５、補強当て生地73、側壁用裏当て生地74、側壁縫着用押さえ生地75、底壁縫着用押さえ生地76、底壁用裏当て生地77は、ポリエステル等の合成樹脂繊維から成るベルト（織物）であって、芯材70（シートベルトウエビング）と比べて伸び率が大きく厚いものである。
例えば、帯体５は、引っ張り強さが４０〜６０ｋＮで、伸び率が１１〜２０％である。補強当て生地73は、引っ張り強さが２５〜４５ｋＮで、伸び率が１１〜２０％である。側壁用裏当て生地74、側壁縫着用押さえ生地75、底壁縫着用押さえ生地76、底壁用裏当て生地77は、引っ張り強さが５５〜７５ｋＮで、伸び率が１１〜２０％である（試験方法はＪＩＳ  Ｌ  １０９６に準拠）。
【００３２】
また、蓋布９は、防水性を有するターポリンであって、合成樹脂繊維（長繊維）の基布にＥＶＡシートを両側から一体状に貼り付けたものである。細帯体91は、ポリプロピレン等の合成樹脂繊維から成るベルト（織物）である。
【００３３】
次に、本発明の放射能汚染土壌用袋の作用について説明する。
図７に示すように、汚染土壌を収容後に積み上げて貯蔵する際に、最下位置の放射能汚染土壌用袋は、上方からの荷重を受けて、図８に示すように、平面視で側壁部12に直交状の側外方への押し力Ｆａや、隣り合う側壁部12，12で形成される内隅部（縦稜線部11）を押し広げるような力Ｆｃが作用するが、縦稜線部11には縦縫着継目部81が無く（継ぎ目の無い１枚のシート体であるため）、縫着糸通し穴やその近傍からの破れや裂けが発生せず、安全に保管される。
【００３４】
例えば、図９に示す比較例のように、縦稜線部99に縦縫着継目部98を配設した場合は、縦稜線部99を形成する側壁部97と側壁部97に夫々直交状の側外方への押し力Ｆａが働く。また、内隅部（縦稜線部99）で、一方の側壁用シート体96Ａと他方の側壁用シート体96Ｂを夫々、横幅方向に分離させるような大きな引っ張り力Ｆｂが縦縫着継目部98に作用すると共に、内隅部（縦稜線部11）を押し広げるような力Ｆｃが作用して、縫着糸通し穴やその近傍から破れや裂けが発生する。
【００３５】
しかし、本発明は、側壁部12の横幅方向中間域Ｍに縦縫着継目部81があるため、縦縫着継目部81には平面視直交状の力Ｆａは働くが、縦縫着継目部81を横幅方向に分離するような力は比較例に比べて非常に小さく、破れや裂けが防止される。
さらに、図３に示すように、縦縫着継目部81において、一方の側壁用シート体２Ａと他方の側壁用シート体２Ｂとが、横断面視で相互にフック状に横幅方向に引っ掛り合うと共に側壁厚み方向Ｔに挟み合っているので、十分な強度を発揮して破損を防止する。
しかも、補強支持帯部54が、投入した土壌の重量を受けて側壁部12が側外方に膨張した際に、縦縫着継目部81に接触して支持するので、縦縫着継目部81からの破れや裂けをより確実に防止できる。
【００３６】
ここで、側壁用シート体２及び底壁用シート体３を、人工皮革にプルシアンブルーを塗布したものとし、側壁部12の裏面（袋内部側の面）の高さを１０３０ｍｍとし、側壁部12の裏面の横幅寸法を１０００ｍｍとした放射能汚染土壌用袋（以下、実施例の袋と呼ぶ）を用いて試験を行った。
先ず、汚染土壌の代わりに樹脂性ペレット（模擬収容物）を、側壁部12の裏面の高さの８０％以上に充填した。
そして、模擬収容物の頂部に平らな圧力盤を設置して、クレーン等の吊り具で実施例の袋を吊り上げて、圧力盤による荷重の負荷と除荷及び休止を交互に繰り返す試験（繰り返し頂部つり上げ試験）を行った。
２９４００Ｎの荷重を７０回サイクルで行ったが、安全性を損なうような収容物の漏洩及び破損といった異常は発生しなかった。しかも、最後に、７３５００Ｎの荷重を１回、負荷したが、同様に上記異常は発生しなかった。
【００３７】
また、平らな面に実施例の袋を載置し、７９３８０Ｎの荷重を負荷して６時間保持する試験（圧縮及び積み重ね試験）を行ったが、上記異常は発生しなかった。
また、実施例の袋に、模擬収容物を１．５トン収容して、０．８ｍの高さから、硬く平らな水平面へ１回落下させる試験（落下衝撃試験）を行ったが、上記異常は発生しなかった。
つまり、ＪＩＳ  Ｚ  １６５１の、繰り返し頂部つり上げ試験、圧縮試験及び積み重ね試験、落下衝撃試験、に合格する（規格に適合する）性能を有していた。
【００３８】
なお、本発明は設計変更可能であって、側壁用シート体２を、８枚以上とするも良い。複数枚の側壁用シート体２は、同一寸法でなくとも良い。帯体５、補強当て生地73、側壁用裏当て生地74、側壁縫着用押さえ生地75、底壁縫着用押さえ生地76、底壁用裏当て生地77、蓋布９、細帯体91等の材質は自由である。
なお、図１乃至図５の太い一点鎖線は、主要箇所の縫製（縫着）部のミシン目やミシン糸を、簡略して図示したものであり、実際は、図例よりも密に縫製される。
また、本発明に於て土壌とは、土のみに限らず、木材や木の枝、土砂や砂利、泥、焼却灰、ゴミ等を含む。
【００３９】
以上のように、本発明の放射能汚染土壌用袋は、矩形状の底壁部13と４つの側壁部12とを有する直方箱型の放射能汚染土壌用袋に於て、放射性物質を除去しつつ水を通過可能な複数枚の矩形状の側壁用シート体２と、放射性物質を除去しつつ水を通過可能な１枚の矩形状の底壁用シート体３と、を備え、上記側壁用シート体２の縦辺部21を、順次、縦縫着継目部81をもって連設し、かつ、縦縫着継目部81を各側壁部12の横幅方向中間域Ｍに配設して、側壁部12，12同士が接する縦稜線部11に縦縫着継目部81が配設されるのを避けたので、放射性物質が水と共に袋外部に流出することを防止できると共に、十分な強度を得ることができる。例えば、放射能汚染土壌を収容して吊り上げと吊り下ろしを繰り返しても破れや裂け等の破損が無く、安全に搬送できる。また、多段（３段）に積み重ねても、最下位置の放射能汚染土壌用袋に破れや裂け等の破損が発生せず、安全に貯蔵することができる。また、万が一、搬送中に落下しても、安全性を損なうような収容物の漏洩が無い。
【００４０】
また、縦縫着継目部81は、シートベルトウエビングから成る帯状の芯材70を内部に有し、隣り合う一方の側壁用シート体２の縦辺部21を折り返した第１折り返し帯部71Ａを形成して芯材70を挟み、さらに、隣り合う他方の側壁用シート体２の縦辺部21を折り返した第２折り返し帯部71Ｂを形成して芯材70を挟み、芯材70の表裏各面70ａ，70ｂに第１折り返し帯部71Ａと第２折り返し帯部71Ｂを当接させたので、縦縫着継目部81が引っ張り力に強く、破れや裂け等の破損を確実に防止できる。
【００４１】
また、吊り下げ用の吊り帯部50を有する帯体５を備え、帯体５は、上縫着部52をもって側壁部12の上部に縫着され、かつ、底縫着部53をもって底壁部13の下面13ｄに縫着され、上縫着部52と底縫着部53の間を非縫着状として、かつ、余長をもって、底縁縫着部10を周り込み、土壌投入に伴って側壁部12が側外方に膨張した際に縦縫着継目部81に沿って接触して縦縫着継目部81を支持する補強支持帯部54を一体状に有するので、縦縫着継目部81が内部からの大きな力を受けた際に、十分に補強され破損を防止できる。
【００４２】
また、帯体５は、相互に向かい合う側壁部12，12の一方から底壁部13の下面13ｄ側を通って側壁部12，12の他方に渡って設けているので、帯体５で、底壁部13を下方から支持して、底壁用シート体３にかかる負荷（荷重）を軽減し、底縁縫着部10及び底壁部13の破損を防止できると共に耐久性を向上できる。
【符号の説明】
【００４３】
２  側壁用シート体
３  底壁用シート体
５  帯体
10  底縁縫着部
11  縦稜線部
12  側壁部
13  底壁部
13ｄ  下面
21  縦辺部
50  吊り帯部
52  上縫着部
53  底縫着部
54  補強支持帯部
70  芯材
70ａ  表て面
70ｂ  裏面
71Ａ  第１折り返し帯部
71Ｂ  第２折り返し帯部
81  縦縫着継目部
Ｍ  中間域
【図１】
2016223930.tif 000003
【図２】
2016223930.tif 000004
【図３】
2016223930.tif 000005
【図４】
2016223930.tif 000006
【図５】
2016223930.tif 000007
【図６】
2016223930.tif 000008
【図７】
2016223930.tif 000009
【図８】
2016223930.tif 000010
【図９】
2016223930.tif 000011
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
矩形状の底壁部（13）と４つの側壁部（12）とを有する直方箱型の放射能汚染土壌用袋に於て、
放射性物質を除去しつつ水を通過可能な複数枚の矩形状の側壁用シート体（２）と、放射性物質を除去しつつ水を通過可能な１枚の矩形状の底壁用シート体（３）と、を備え、
上記側壁用シート体（２）の縦辺部（21）を、順次、縦縫着継目部（81）をもって連設し、かつ、上記縦縫着継目部（81）を各上記側壁部（12）の横幅方向中間域（Ｍ）に配設して、上記側壁部（12）（12）同士が接する縦稜線部（11）に上記縦縫着継目部（81）が配設されるのを避けるように構成し、
上記縦縫着継目部（81）は、シートベルトウエビングから成る帯状の芯材（70）を内部に有し、隣り合う一方の上記側壁用シート体（２）の上記縦辺部（21）を折り返した第１折り返し帯部（71Ａ）を形成して上記芯材（70）を挟み、さらに、隣り合う他方の上記側壁用シート体（２）の上記縦辺部（21）を折り返した第２折り返し帯部（71Ｂ）を形成して上記芯材（70）を挟み、上記芯材（70）の表裏各面（70ａ）（70ｂ）に上記第１折り返し帯部（71Ａ）と上記第２折り返し帯部（71Ｂ）を当接させたことを特徴とする放射能汚染土壌用袋。
【請求項２】
矩形状の底壁部（13）と４つの側壁部（12）とを有する直方箱型の放射能汚染土壌用袋に於て、
放射性物質を除去しつつ水を通過可能な複数枚の矩形状の側壁用シート体（２）と、放射性物質を除去しつつ水を通過可能な１枚の矩形状の底壁用シート体（３）と、を備え、
上記側壁用シート体（２）の縦辺部（21）を、順次、縦縫着継目部（81）をもって連設し、かつ、上記縦縫着継目部（81）を各上記側壁部（12）の横幅方向中間域（Ｍ）に配設して、上記側壁部（12）（12）同士が接する縦稜線部（11）に上記縦縫着継目部（81）が配設されるのを避けるように構成し、
吊り下げ用の吊り帯部（50）を有する帯体（５）を備え、該帯体（５）は、上縫着部（52）をもって上記側壁部（12）の上部に縫着され、かつ、底縫着部（53）をもって上記底壁部（13）の下面（13ｄ）に縫着され、上記上縫着部（52）と上記底縫着部（53）の間を非縫着状として、かつ、余長をもって、底縁縫着部（10）を周り込み、土壌投入に伴って上記側壁部（12）が側外方に膨張した際に上記縦縫着継目部（81）に沿って接触して該縦縫着継目部（81）を支持する補強支持帯部（54）を一体状に有することを特徴とする放射能汚染土壌用袋。
【請求項３】
上記帯体（５）は、相互に向かい合う上記側壁部（12）（12）の一方から上記底壁部（13）の下面（13ｄ）側を通って上記側壁部（12）（12）の他方に渡って設けている請求項２記載の放射能汚染土壌用袋。
【手続補正２】
【補正対象書類名】明細書
【補正対象項目名】０００６
【補正方法】変更
【補正の内容】
【０００６】
上記目的を達成するために、本発明の放射能汚染土壌用袋は、矩形状の底壁部と４つの側壁部とを有する直方箱型の放射能汚染土壌用袋に於て、放射性物質を除去しつつ水を通過可能な複数枚の矩形状の側壁用シート体と、放射性物質を除去しつつ水を通過可能な１枚の矩形状の底壁用シート体と、を備え、上記側壁用シート体の縦辺部を、順次、縦縫着継目部をもって連設し、かつ、上記縦縫着継目部を各上記側壁部の横幅方向中間域に配設して、上記側壁部同士が接する縦稜線部に上記縦縫着継目部が配設されるのを避けるように構成し、上記縦縫着継目部は、シートベルトウエビングから成る帯状の芯材を内部に有し、隣り合う一方の上記側壁用シート体の上記縦辺部を折り返した第１折り返し帯部を形成して上記芯材を挟み、さらに、隣り合う他方の上記側壁用シート体の上記縦辺部を折り返した第２折り返し帯部を形成して上記芯材を挟み、上記芯材の表裏各面に上記第１折り返し帯部と上記第２折り返し帯部を当接させたものである。
【手続補正３】
【補正対象書類名】明細書
【補正対象項目名】０００７
【補正方法】変更
【補正の内容】
【０００７】
また、矩形状の底壁部と４つの側壁部とを有する直方箱型の放射能汚染土壌用袋に於て、放射性物質を除去しつつ水を通過可能な複数枚の矩形状の側壁用シート体と、放射性物質を除去しつつ水を通過可能な１枚の矩形状の底壁用シート体と、を備え、上記側壁用シート体の縦辺部を、順次、縦縫着継目部をもって連設し、かつ、上記縦縫着継目部を各上記側壁部の横幅方向中間域に配設して、上記側壁部同士が接する縦稜線部に上記縦縫着継目部が配設されるのを避けるように構成し、吊り下げ用の吊り帯部を有する帯体を備え、該帯体は、上縫着部をもって上記側壁部の上部に縫着され、かつ、底縫着部をもって上記底壁部の下面に縫着され、上記上縫着部と上記底縫着部の間を非縫着状として、かつ、余長をもって、底縁縫着部を周り込み、土壌投入に伴って上記側壁部が側外方に膨張した際に上記縦縫着継目部に沿って接触して該縦縫着継目部を支持する補強支持帯部を一体状に有するものである。
また、上記帯体は、相互に向かい合う上記側壁部の一方から上記底壁部の下面側を通って上記側壁部の他方に渡って設けているものである。